(57)【要約】      （修正有）【課題】乳児及び幼児のいずれにも対応可能な折り畳み式のベビーカーを提供する。【解決手段】ベビーカー１０は、展開状態から折り畳み状態へ折り畳み可能なベビーカー本体と、ベビーカー本体と一体的に取り付けて、ベビーカー本体の折り畳み動作に倣って、背部４４と座部４２の間で折り畳み可能な幼児用シート４０を備え、ベビーカー本体は、前記幼児用シート４０よりも上方で乳児用シート５０をベビーカー本体に着脱可能な取付部６０を備えたことを特徴としている。【選択図】図３
2018043710.tif 000002
【特許請求の範囲】
【請求項１】
展開状態から折り畳み状態へ折り畳み可能なベビーカー本体と、
前記ベビーカー本体と一体的に取り付けて、前記ベビーカー本体の折り畳み動作に倣って背部と座部の間で折り畳み可能な幼児用シートを備え、
前記ベビーカー本体は、前記幼児用シートよりも上方で乳児用シートを前記ベビーカー本体に着脱可能な取付部を備えたことを特徴とするベビーカー。
【請求項２】
前記乳児用シートは、前記ベビーカー本体の折り畳み動作に倣って折り畳み可能なことを特徴とする請求項１に記載のベビーカー。
【請求項３】
前記取付部は、前記幼児用シート使用時にガード部材を着脱可能なことを特徴とする請求項１又は２に記載のベビーカー。
【発明の詳細な説明】
【技術分野】
【０００１】
本発明は、乳幼児を乗車させるベビーカーに関し、特に展開状態から折り畳み状態へと折り畳み可能なベビーカーに関する。
【背景技術】
【０００２】
従来、乳幼児を着座又は寝かせて移動するベビーカーが広く利用されている。
特に折り畳み式のベビーカーは、ハンドルのグリップ付近のボタン操作で容易に折り畳むことができるため、移動時、収納時において使い勝手が良い。
【０００３】
特許文献１は、展開状態から折り畳み状態へと折り畳み可能であり、ハンドルを揺動させて対面押し位置又は背面押し位置へと切換え可能なベビーカーが開示されている。
【０００４】
特許文献２は、車体と、車体に着脱可能に取付けられたシートを備え、車体は折り畳み可能に構成されたベビーカーが開示されている。
【先行技術文献】
【特許文献】
【０００５】
【特許文献１】特開２０１１−１４８４４９号公報
【特許文献２】特許第５４４２７２９号公報
【発明の概要】
【発明が解決しようとする課題】
【０００６】
一般に乳児期は、路面からの輻射熱や埃の影響をできるだけ低減して、乳児の乗せ降ろしの利便性を考慮した場合、ベビーカー本体に対するシートの取付け位置は高い方が望ましい。一方、幼児期は、乳児の体重を考慮すると操縦性、走行安定性、転倒のリスクの観点から、シートの取り付け位置を乳児の時期よりも低くする方が望ましい。
【０００７】
しかしながら特許文献１に開示のベビーカーは、シートがベビーカー本体に固定されており、乳児から幼児まで１つのシートで対応する構成である。またシートの取付け位置の調整や着脱をすることができない。このため、乳児および幼児のいずれにも適したベビーカーとは言い難い。
【０００８】
また特許文献２に開示のベビーカーは、車体に対してシートを着脱可能に構成しているが、シートの高さ位置を調整することができない。また、乳児用シートから幼児用シートへの変更は、シートを交換しなければならず、作業が煩雑となり誤って取り付けるなどの不具合が生じるおそれがある。さらに、ベビーカー本体を折り畳む際には、シートを外さなければならない。このため使い勝手が悪く、乳児及び幼児のいずれにも適したベビーカーとは言い難い。
【０００９】
上記従来技術の問題点に鑑み、本発明は、乳児及び幼児のいずれにも対応可能な折り畳み式のベビーカーを提供することを目的としている。
【課題を解決するための手段】
【００１０】
上記課題を解決するための第１の手段として、本発明は、展開状態から折り畳み状態へ折り畳み可能なベビーカー本体と、前記ベビーカー本体と一体的に取り付けて、前記ベビーカーの折り畳み動作に倣って背部と座部の間で折り畳み可能な幼児用シートを備え、前記ベビーカー本体は、前記幼児用シートよりも上方で乳児用シートを前記ベビーカー本体に着脱可能な取付部を備えたことを特徴とするベビーカーを提供することにある。
上記構成の第１の手段によれば、ベビーカー本体に固定された幼児用シートの上に乳児用シートを着脱可能に構成しているため、乳児期において乳児用シートを幼児用シートよりも高い位置で使用することができ、また幼児期において乳児用シートを取り外すだけの作業で幼児用シートを使用できるので、使い勝手が良く、従来の付け替えミスや、煩雑な交換作業が無くなる。
【００１１】
上記課題を解決するための第２の手段として、本発明は、前記第１の手段において、前記乳児用シートは、前記ベビーカー本体の折り畳み動作に倣って折り畳み可能なことを特徴とするベビーカーを提供することにある。
上記構成の第２の手段によれば、乳児用シートの使用時においても、取り外すことなく容易にベビーカーを折り畳むことができる。
【００１２】
上記課題を解決するための第３の手段として、本発明は、前記第１又は第２の手段において、前記取付部は、前記幼児用シート使用時にガード部材を着脱可能なことを特徴とするベビーカーを提供することにある。
上記構成の第３の手段によれば、乳幼児用シートと、幼児用シートの使用時に必要なガード部材の取付け箇所を共通化して、装置構成の簡略化及び軽量化を図ることができる。
【発明の効果】
【００１３】
本発明のベビーカーによれば、ベビーカー本体に固定された幼児用シートの上に乳児用シートを着脱可能に構成しているため、幼児期において乳児用シートを取り外すだけの作業で幼児用シートを使用できるので、従来の付け替えミスや、煩雑な交換作業が無くなる。
【図面の簡単な説明】
【００１４】
【図１】本発明のベビーカーの展開状態から折り畳み状態への段階的に移行する斜視図である。
【図２】本発明のベビーカーの展開状態から折り畳み状態への段階的に移行する側面図である。
【図３】ベビーカー本体へ乳児用シートを取り付ける説明図である。
【図４】折り畳みロック部の説明図である。
【図５】乳児用シートの説明図である。
【図６】取付部及び解除部の説明図である。
【図７】幼児用シートを備えたベビーカーの説明図である。
【図８】幼児用シートのリクライニングの説明図である。
【発明を実施するための形態】
【００１５】
本発明のベビーカーの実施形態を添付の図面を参照しながら、以下詳細に説明する。
【００１６】
［ベビーカー１０］
図１は本発明のベビーカーの展開状態から折り畳み状態への段階的に移行する斜視図である。図２は本発明のベビーカーの展開状態から折り畳み状態への段階的に移行する側面図である。図３はベビーカー本体へ乳児用シートを取り付ける説明図である。本発明のベビーカー１０は、ベビーカー本体２０と、幼児用シート４０と、乳児用シート５０を主な基本構成としている。
なお本実施形態中の前・後・左・右とは、ベビーカー１０を展開させて、幼児を幼児用シート４０に着座させたときに幼児を基準とした前・後・左・右と同一である。
【００１７】
［ベビーカー本体２０］
ベビーカー本体２０は、前脚２２と、後脚２４と、アームレスト２６をそれぞれ左右に一対配置して、さらにハンドル２８を備えている。
前脚２２は下端に前輪２２ａを備え、上端を後脚２４側へ湾曲させて後脚２４の上端付近に回動可能に接続している。
後脚２４は下端に後輪２４ａを備え、上端がアームレスト２６と回動可能に接続している。
【００１８】
アームレスト２６は、前脚２２および後脚２４の上端を覆い、後端がハンドル２８と回動可能に接続した部材である。アームレスト２６の上面側は緩やかな湾曲形状に形成し、後脚２４が接続する箇所の上方に後述する取付部６０を設けている。
ハンドル２８は、一対の直線部２８ａと直線部２８ａを連結する中間部２８ｂからなり、ほぼＵ字状に形成されている。ハンドル２８は、直線部２８ａ側の下端を後述する折り畳みロック部３０に回動可能に接続している。またハンドル２８は側面視で上端の中間部２８ｂ側を後方へ湾曲させている。
【００１９】
図４は折り畳みロック部の説明図であり、（１）はベビーカーの斜視図、（２）はロック部の斜視図、（３）はワイヤー動作の説明図、（４）は折り畳みとロック位置の説明図である。図示のように折り畳みロック部３０は、ロック部３２とリンク部３４を主な基本構成としている。
ロック部３２は、ハンドル２８の下端側に設けて、ハンドル２８の下端側を覆う円筒状の部材である。ロック部３２は、上端側に直径方向に延出した係止部３２ａを設けている。ロック部３２の円筒表面には矩形の凸部３２ｂを設けている。ハンドル２８の下端側には、ロック部３２の係止部３２ａが嵌る長孔２８ｃを設けている。長孔２８ｃはハンドル２８の長手方向に沿って形成している。そして係止部３２ａは、ハンドルの中間部に設けた折り畳み操作部２９に接続するワイヤー２９ａの下端と接続している。係止部３２ａとワイヤー２９ａの接続箇所にコイルばね２９ｂを設けている。このコイルばね２９ｂは、ロック部３２をハンドル２８の下端に向けて押し付けるように付勢している。
リンク部３４は、ベビーカー１０の展開状態において上端側がハンドル２８の下端と回動可能に接続し、下端側が後脚２４と回動可能に接続した部材である。リンク部３４は、ハンドル２８の下端との接続箇所にストッパー３４ａを設けている。ストッパー３４ａは、ロック部３２の凸部３２ｂと嵌め合う凹部を設けている。この凹部は、ベビーカー１０の展開状態において凸部３２ｂが嵌る第１凹部３４ｂと、ベビーカー１０の折り畳み状態において凸部３２ｂが嵌る第２凹部３４ｃを設けている。
【００２０】
［乳児用シート５０］
図５は乳児用シートの説明図であり、（１）は展開状態、（２）は折り畳み状態の側面の断面図である。乳児用シート５０は、第１及び第２Ｕ字フレーム５１，５２と、生地５３と、第１及び第２支持部材５４，５５と、底板５６からなり、主に乳児の寝台として機能する。
第１及び第２Ｕ字フレーム５１，５２は、乳児を収容可能な容器状に形成した生地５３の上面開口の周縁に沿って接続している。
【００２１】
図６は取付部及び解除部の説明図である。図示のように取付部６０は、アームレスト２６の上面から上方へ突出した円筒状の部材である。取付部６０は上端側に水平方向（直径方向）に孔を形成して、その孔から外側に延出する一対の凸部６２を設けている。そして取付部６０の中空内部にはＵ字板ばね６４を取り付けている。このＵ字板ばね６４は直線部の両端側がそれぞれ一対の凸部６２の中空側端部に接続させている。このような構成の取付部６０は、凸部６２がＵ字板ばね６４によって孔から外側へ突出するように付勢されている。
【００２２】
乳児用シート５０の第１支持部材５４の下端には、解除部７０を設けている。解除部７０は、取付部６０が嵌る穴７２と、この穴７２に取付部６０を嵌めたときに凸部６２と重なる箇所であって直径方向に開口した開口７４と、この開口７４から外部へ付勢された一対の解除ボタン７６を備えている。解除ボタン７６を穴７２の中心に向けて押し込むと、取付部６０の凸部６２に当たり、さらに押し込むと凸部６２も中心側に押された状態となる。この状態で解除部７０を引き抜くことにより、乳児用シート５０をベビーカー本体２０から取り外すことができる。
【００２３】
［幼児用シート４０］
図７は幼児用シートを備えたベビーカーの説明図である。図８は幼児用シートのリクライニングの説明図であり、（１）は平面側の斜視図であり、（２）は底面側の斜視図１であり、（３）は底面側の斜視図２である。幼児用シート４０は、座部４２と背部４４からなり、それぞれＵ字フレームに生地を張り付けた構成とし、所定の強度及び柔軟性を備え、主に幼児の座部として機能する。
【００２４】
座部４２は、Ｕ字中間部側に下面へ延びる座部支持部材４２ａを取り付けて、前脚２２の上端側と回動可能に接続している。また座部４２のＵ字直線部の両端側に一対の座部保持部４２ｂを取り付けている。座部保持部４２ｂは、リンク部３４内のハンドル２８下端が接続する軸と同軸上で回動可能な軸部４２ｃを設けている。また座部保持部４２ｂは、底面側に一対の座部保持部４２ｂに跨る補強バー４２ｄを取り付けて座部４２の剛性を高めている。
【００２５】
背部４４は、Ｕ字直線部に上面へ延びる背部支持部材４４ａを取り付けて、ハンドル２８の直線部２８ａと回動可能に接続している。背部支持部材４４ａは、内側に調整紐４４ｅを通した袋状の生地であり、ハンドルの一対の直線部２８ａに跨るように接続している。このとき背部支持部材４４ａとハンドルの間に背部４４が配置されている。背部支持部材４４ａの中間部分には、紐固定具４４ｃを取り付けている。紐固定具４４ｃは調整紐４４ｅを通してあり、さらにリクライニングレバー４４ｄを設けている。
背部４４のＵ字直線部の両端側に一対の背部保持部材４４ｂを取り付けている。背部保持部材４４ｂは、座部保持部４２ｂとヒンジ部４５を介して回動自在に接続している。
【００２６】
幼児用シートの背部４４は、座部４２に対して、背部支持部材４４ａを用いて取付け角度を任意角度に調整することができる。図８（２）に示すように背部４４を寝かせる場合には、紐固定具４４ｃのリクライニングレバー４４ｄを引くことにより背部支持部４４ａの両端と紐固定具４４ｃの間の調整紐４４ｅが長くなり、背部４４を任意の角度で寝かすことができる。
一方、図８（３）に示すように背部４４を起こす場合には、紐固定具４４ｃからはみ出した調整紐４４ｅを引くことにより背部支持部材４４ａの両端と紐固定具４４ｃの間の調整紐４４ｅが短くなり、背部４４を任意の角度で起こすことができる。
【００２７】
ガード部材８０は、一対のアームレスト２６を跨ぐ部材であり、両端の下部に乳児用シートと同一構成の解除部７０を設けている。このような構成のガード部材８０は、乳児用シート５０を取り外した取付部６０に解除部７０を嵌め合わせることにより、容易に取り付けることができる。また、ガード部材８０は、解除部７０のボタン操作により容易に取付部６０から取り外すことができる。
【００２８】
［作用］
上記構成による本発明の展開状態のベビーカーを折り畳む動作について以下説明する。
展開状態のベビーカー１０は、リンク部３４の第１凹部３４ｂとロック部３２の凸部３２ｂが嵌合しており展開状態のロック状態を維持している（図４（４）Ａ）。
ハンドル２８の中間部２８ｂに設けた折り畳み操作部２９の操作ボタンを押下すると、ボタンに接続しているワイヤー２９ａが上方（中間部２８ｂ側）へ引っ張られる。
【００２９】
リンク部３４の第１凹部３４ｂと嵌め合っていたロック部３２の凸部３２ｂが第１凹部３４ｂから外れる（図４（４）Ｂ）。
折り畳み操作部２９の操作ボタンを押下した状態を維持しながら、前脚２２を後脚２４側へ、又は後脚２４を前脚２２側へ押し込む（図４（４）Ｃ）。
さらにハンドル２８を上方へ向けて押し込むと、乳児用シート及び幼児用シートが２つ折りに折り畳まれる。
【００３０】
ベビーカー１０が折り畳み状態となった後、折り畳み操作部２９の操作ボタンを離すと、コイルばね２９ｂの付勢によって、ロック部３２の凸部３２ｂと第２凹部３４ｃが嵌合して折り畳み状態のロック状態となる（図４（４）Ｄ）。このようにしてベビーカー１０を折り畳むことによりベビーカー本体２０と乳児用シート５０と幼児用シート４０を一体的に小型化できる。
また、本発明の折り畳み状態のベビーカーを展開する動作については、上記と逆の動作を行うことにより実現できる。
また、幼児期において乳児用シート５０は、解除部７０のボタン操作により、取付部６０から容易に取り外すことができる。そしてガード部材８０を取付部６０に取り付けることにより、幼児に適したベビーカー１０として使用できる。
【００３１】
このような本発明のベビーカーによれば、ベビーカー本体に固定された幼児用シートの上に乳児用シートを着脱可能に構成しているため、幼児期において乳児用シートを取り外すだけの作業で幼児用シートを使用できるので、従来の付け替えミスや、煩雑な交換作業が無くなる。
【産業上の利用可能性】
【００３２】
本発明は、特に乳幼児を対象としたベビーカーなどの車両分野において産業上の利用可能性を有する。
【符号の説明】
【００３３】
１０………ベビーカー、２０………ベビーカー本体、２２………前脚、２２ａ………前輪、２４………後脚、２４ａ………後輪、２６………アームレスト、２８………ハンドル、２９………折り畳み操作部、３０………折り畳みロック部、４０………幼児用シート、４２………座部、４２ａ………座部支持部材、４４………背部、４４ａ………背部支持部材、５０………乳児用シート、５１………第１フレーム、５２………第２フレーム、５３………生地、５４………第１支持部材、５５………第２支持部材、５６………底板、６０………取付部、６２………凸部、６４………Ｕ字板ばね、７０………解除部、８０………ガード部材。
【図１】
2018043710.tif 000003
【図２】
2018043710.tif 000004
【図３】
2018043710.tif 000005
【図４】
2018043710.tif 000006
【図５】
2018043710.tif 000007
【図６】
2018043710.tif 000008
【図７】
2018043710.tif 000009
【図８】
2018043710.tif 000010